(57)【要約】【課題】サイドシール部の破断のしやすさと、使用強度とを、両立させたパンツタイプ吸収性物品を提供することである。【解決手段】ウエスト開口部１４と、脚開口部１５と、サイドシール部１６とを形成したパンツタイプ吸収性物品１において、サイドシール部１６に、パンツタイプ吸収性物品１の幅方向の中心に対して近位端側の第１シールパターン１６１と、パンツタイプ吸収性物品１の幅方向の中心に対して遠位端側の第２シールパターン１６２と、第１シールパターン１６１及び第２シールパターン１６２の間に位置する第３シールパターン１６３が、所定の方向に、所定の間隔で配置された、パンツタイプ吸収性物品１。【選択図】図１
2018183486.tif 000002
【特許請求の範囲】
【請求項１】
腹側部と背側部の上部にウエスト開口部を形成し、前記腹側部と前記背側部との間の股部の両側に脚開口部を形成したパンツタイプ吸収性物品であって、
前記パンツタイプ吸収性物品は、前記腹側部の両側縁部と前記背側部の両側縁部とを互いに重ね合わせて接合部を形成した左右一対のサイドシール部を有し、
前記左右一対のサイドシール部は、それぞれ、前記パンツタイプ吸収性物品の幅方向の中心に対して近位端側の第１シールパターンと、前記パンツタイプ吸収性物品の幅方向の中心に対して遠位端側の第２シールパターンと、前記第１シールパターン及び前記第２シールパターンの間に位置する第３シールパターンと、を有し、
前記第１シールパターンには、それぞれ、単位形状を略矩形とし、長辺を前記パンツタイプ吸収性物品の縦方向に平行とし、前記パンツタイプ吸収性物品における縦方向の寸法が互いに異なる長辺シールパターンと短辺シールパターンとが、前記パンツタイプ吸収性物品における縦方向に沿って交互に所定の間隔で断続的に配置され、
前記第２シールパターンには、それぞれ、単位形状を略矩形とし、長辺を前記パンツタイプ吸収性物品の縦方向に平行とし、前記パンツタイプ吸収性物品における縦方向の寸法が互いに異なる長辺シールパターンと短辺シールパターンとが、前記パンツタイプ吸収性物品における縦方向に沿って交互に所定の間隔で断続的に配置され、
前記第１シールパターンにおける前記長辺シールパターン及び前記短辺シールパターンのそれぞれの間隙と、前記第２シールパターンにおける前記長辺シールパターン及び前記短辺シールパターンのそれぞれの間隙とは、前記パンツタイプ吸収性物品における幅方向において重ならず、
前記第３シールパターンには、それぞれ、単位形状を略矩形とし、長辺を前記パンツタイプ吸収性物品の幅方向に平行とするシールパターンが、前記パンツタイプ吸収性物品における縦方向に沿って所定の間隔で配置され、かつ、前記第１シールパターン及び前記第２シールパターンとそれぞれ離間している、パンツタイプ吸収性物品。
【請求項２】
前記第３シールパターンは、前記パンツタイプ吸収性物品における縦方向に等間隔に配置されている、請求項１に記載のパンツタイプ吸収性物品。
【請求項３】
前記第３シールパターンは、それぞれ、前記第１シールパターンのそれぞれの縦方向の中点に位置し、かつ、前記第２シールパターンのそれぞれの縦方向の中点に位置する、請求項１又は請求項２に記載のパンツタイプ吸収性物品。
【請求項４】
前記第１シールパターンにおける前記長辺シールパターンと前記短辺シールパターンのそれぞれの縦方向の寸法の比である、長辺シールパターンの１つ当たりの寸法／短辺シールパターンの１つ当たりの寸法は、１．２以上２．５以下であり、
前記第２シールパターンにおける前記長辺シールパターンと前記短辺シールパターンのそれぞれの縦方向の寸法の比である、長辺シールパターンの１つ当たりの寸法／短辺シールパターンの１つ当たりの寸法は、１．２以上２．５以下である、請求項１から３のいずれか一項に記載のパンツタイプ吸収性物品。
【請求項５】
前記第３シールパターンの単位ごとの幅方向の寸法は、前記第１シールパターンにおける前記短辺シールパターン及び前記第２シールパターンにおける前記短辺シールパターンのそれぞれのシールパターンの単位ごとの縦方向の寸法に対して、０．５倍以上２．０倍以下である、請求項１から４のいずれか一項に記載のパンツタイプ吸収性物品。
【発明の詳細な説明】
【技術分野】
【０００１】
本発明は、吸収性物品を脱衣させる際に、吸収性物品のサイド部分を破断しやすいパンツタイプ吸収性物品に関する。
【背景技術】
【０００２】
一般的に、乳幼児用のパンツタイプ吸収性物品は、子供が一人でトイレに行き排泄できるようになるまでの補助として、乳幼児に穿かせるものである。ここで、乳幼児用のパンツタイプ吸収性物品は、装着時に保護者が乳幼児にパンツタイプ吸収性物品を装着しやすくする必要があり、また、パンツタイプ吸収性物品を装着した乳幼児が着用中に動作しやすいようにする必要がある。従来、パンツタイプ吸収性物品は、ウエストや脚の開口部に弾性部材を用いることによって、装着時における保護者の操作性を良くし、着用中の乳幼児の動作に対する追従性を良くしている。
【０００３】
一方で、パンツタイプ吸収性物品は、脱衣時に、保護者がパンツタイプ吸収性物品のサイドシール部を破断させることにより、乳幼児を立たせたまま、パンツタイプ吸収性物品を脱がせることができるようにする必要もある。特に、パンツタイプ吸収性物品の着用者が幼児の場合、幼児がじっとしていない最中でも、保護者が手際よくサイドシール部を破断させて脱がすことができるように、サイドシール部を比較的容易に破断できるようにする必要がある。
【０００４】
ここで、特許文献１は、パンツタイプ吸収性物品の装着時、着用中における着用感に着目して、サイドシール部がシールされる前の４つのサイド部において、パンツタイプ吸収性物品のサイドシール部のシール部材数を同数とすることによって、サイドシール部の硬さを制御し、着用感を良くしたパンツタイプ吸収性物品を開示している。また、特許文献２は、パンツタイプ吸収性物品のサイドシール部に複数のシール領域を設け、ウエスト開口部の端部に形成するシール領域の各シールの長手方向の寸法を、他のシール領域の各シールの長手方向の寸法よりも短くすることによって、サイドシール部の硬さを制御し、着用感を良くしたパンツタイプ吸収性物品を開示している。
【０００５】
また、特許文献３は、パンツタイプ吸収性物品の脱衣時に、ウエスト開口部の弾性部材の破断のしにくさに着目して、ウエスト開口部の弾性部材を切断しないサイドシールと、ウエスト開口部の弾性部材を切断するサイドシールを設けることによって、ウエスト開口部の弾性部材を破断しやすくしたパンツタイプ吸収性物品を開示している。
【先行技術文献】
【特許文献】
【０００６】
【特許文献１】特開２０１０−１１９５７８号公報
【特許文献２】特開２０１０−２２０７８３号公報
【特許文献３】特開２００３−１４４４９４号公報
【発明の概要】
【発明が解決しようとする課題】
【０００７】
ここで、パンツタイプ吸収性物品の脱衣時に、サイドシール部を破断しやすくするには、サイドシール部のシールパターンの単位形状や配置方向のほか、サイドシール部のシールパターン同士の配置間隔等を調整する必要がある。しかし、特許文献１に開示されるパンツタイプ吸収性物品は、サイドシール部のシールパターンの配置間隔を、異なるシールパターン同士を離間させずに連結させていることから、サイドシール部の破断しやすさが損なわれている。また、特許文献２及び特許文献３に開示されるパンツタイプ吸収性物品は、サイドシール部の異なるシールパターン同士を同一方向又は略同一方向に配置させていることから、サイドシール部の破断しやすさを重視するあまり、サイドシール部において、パンツタイプ吸収性物品の着用中における使用強度が損なわれている。
【０００８】
したがって、本発明は、サイドシール部の破断のしやすさと、使用強度とを、両立させたパンツタイプ吸収性物品を提供することを目的とする。
【課題を解決するための手段】
【０００９】
本発明の発明者は、上記課題に鑑み、鋭意研究を行った。その結果、ウエスト開口部と、脚開口部と、サイドシール部とを形成したパンツタイプ吸収性物品において、サイドシール部に、所定の領域において、所定の方向に、所定の間隔で配置されたシールパターンを設けることにより、上記課題を解決できることを見出し、本発明を完成するに至った。
【００１０】
（１）  本発明の第１の態様は、腹側部と背側部の上部にウエスト開口部を形成し、前記腹側部と前記背側部との間の股部の両側に脚開口部を形成したパンツタイプ吸収性物品であって、前記パンツタイプ吸収性物品は、前記腹側部の両側縁部と前記背側部の両側縁部とを互いに重ね合わせて接合部を形成した左右一対のサイドシール部を有し、前記左右一対のサイドシール部は、それぞれ、前記パンツタイプ吸収性物品の幅方向の中心に対して近位端側の第１シールパターンと、前記パンツタイプ吸収性物品の幅方向の中心に対して遠位端側の第２シールパターンと、前記第１シールパターン及び前記第２シールパターンの間に位置する第３シールパターンと、を有し、前記第１シールパターンには、それぞれ、単位形状を略矩形とし、長辺を前記パンツタイプ吸収性物品の縦方向に平行とし、前記パンツタイプ吸収性物品における縦方向の寸法が互いに異なる長辺シールパターンと短辺シールパターンとが、前記パンツタイプ吸収性物品における縦方向に沿って交互に所定の間隔で断続的に配置され、前記第２シールパターンには、それぞれ、単位形状を略矩形とし、長辺を前記パンツタイプ吸収性物品の縦方向に平行とし、前記パンツタイプ吸収性物品における縦方向の寸法が互いに異なる長辺シールパターンと短辺シールパターンとが、前記パンツタイプ吸収性物品における縦方向に沿って交互に所定の間隔で断続的に配置され、前記第１シールパターンにおける前記長辺シールパターン及び前記短辺シールパターンのそれぞれの間隙と、前記第２シールパターンにおける前記長辺シールパターン及び前記短辺シールパターンのそれぞれの間隙とは、前記パンツタイプ吸収性物品における幅方向において重ならず、前記第３シールパターンには、それぞれ、単位形状を略矩形とし、長辺を前記パンツタイプ吸収性物品の幅方向に平行とするシールパターンが、前記パンツタイプ吸収性物品における縦方向に沿って所定の間隔で配置され、かつ、前記第１シールパターン及び前記第２シールパターンとそれぞれ離間している、パンツタイプ吸収性物品である。
（２）  （１）に記載のパンツタイプ吸収性物品において、前記第３シールパターンは、前記パンツタイプ吸収性物品における縦方向に等間隔に配置されていてもよい。
（３）  （１）又は（２）に記載のパンツタイプ吸収性物品において、前記第３シールパターンは、それぞれ、前記第１シールパターンのそれぞれの縦方向の中点に位置し、かつ、前記第２シールパターンのそれぞれの縦方向の中点に位置していてもよい。
（４）  （１）から（３）のいずれかに記載のパンツタイプ吸収性物品において、前記第１シールパターンにおける前記長辺シールパターンと前記短辺シールパターンのそれぞれの縦方向の寸法の比である、長辺シールパターンの１つ当たりの寸法／短辺シールパターンの１つ当たりの寸法は、１．２以上２．５以下であり、前記第２シールパターンにおける前記長辺シールパターンと前記短辺シールパターンのそれぞれの縦方向の寸法の比である、長辺シールパターンの１つ当たりの寸法／短辺シールパターンの１つ当たりの寸法は、１．２以上２．５以下であってもよい。
（５）  （１）から（４）のいずれかに記載のパンツタイプ吸収性物品において、前記第３シールパターンの単位ごとの幅方向の寸法は、前記第１シールパターンにおける前記短辺シールパターン及び前記第２シールパターンにおける前記短辺シールパターンのそれぞれのシールパターンの単位ごとの縦方向の寸法に対して、０．５倍以上２．０倍以下であってもよい。
【発明の効果】
【００１１】
本発明の第一の態様に係るパンツタイプ吸収性物品においては、サイドシール部における第１シールパターン及び第２シールパターンにおいて、単位形状を略矩形とし、長辺をパンツタイプ吸収性物品の縦方向に平行とし、パンツタイプ吸収性物品における縦方向の寸法が互いに異なる長辺シールパターンと短辺シールパターンとを、パンツタイプ吸収性物品における縦方向に沿って交互に所定の間隔で断続的に配置している。これにより、サイドシール部のシールパターンの配置される方向を、サイドシール部を破断する方向である縦方向と同一とすることで、サイドシール部を破断しやすくすることができ、かつ、サイドシール部にかかる荷重の方向である幅方向と直交する方向とすることで、サイドシール部の使用強度を向上させることができる。さらに、第１シールパターンにおける長辺シールパターン及び短辺シールパターンのそれぞれの間隙と、第２シールパターンにおける長辺シールパターン及び短辺シールパターンのそれぞれの間隙とを、パンツタイプ吸収性物品における幅方向において重ならないように配置することで、サイドシール部の使用強度をより向上させることができる。さらに、サイドシール部における第３シールパターンにおいて、単位形状を略矩形とし、長辺をパンツタイプ吸収性物品の幅方向に平行とするシールパターンとし、第１シールパターン及び第２シールパターンとそれぞれ離間するように配置することで、サイドシール部の破断しやすさを調整することができる。
【図面の簡単な説明】
【００１２】
【図１】（ａ）は、本発明のパンツタイプ吸収性物品について、左右一対のサイドシール部を形成したパンツタイプ吸収性物品を着用者が着用したときに、腹側である正面の上方からみた様子の概略図である。（ｂ）は、（ａ）において、実線太枠で囲ったサイドシール部の一実施例のシールパターンを取り出した拡大正面図である。
【図２】（ａ）は、実施例に係るパンツタイプ吸収性物品について、サイドシール部のシールパターンを取り出した拡大正面図であり、（ｂ）及び（ｃ）は、比較例に係るパンツタイプ吸収性物品について、サイドシール部のシールパターンを取り出した拡大正面図である。
【発明を実施するための形態】
【００１３】
以下、本発明の実施形態に係るパンツタイプ吸収性物品１について詳細に説明するが、これらは例示の目的で掲げたものでこれらにより本発明を限定するものではない。なお、実施形態の説明の全体を通して同じ要素には同じ番号を付している。
【００１４】
＜パンツタイプ吸収性物品＞
図１（ａ）は、本発明のパンツタイプ吸収性物品１について、左右一対のサイドシール部１６を形成したパンツタイプ吸収性物品１を着用者が着用したときに、腹側である正面の上方からみた様子の概略図である。パンツタイプ吸収性物品１は、着用者の股間部を前後から覆う前後方向（奥行方向）に細長い形態を有する吸収性本体と、吸収性本体の外側に重なりつつ吸収性本体の周囲に延びてパンツタイプ吸収性物品１の外形形状を構成する外装体１０と、を有している。そして、図１（ａ）に示すように、外装体１０よりその外形形状が構成されるパンツタイプ吸収性物品１は、大きく分けると、着用者の腹部に当接する腹側部１１、着用者の背部に当接する背側部１２、及び着用者の股間部に当接するように腹側部１１と背側部１２を繋ぐ股部１３に区分され、上部にウエスト開口部１４が形成され、股部１３の両側に脚開口部１５が形成され、腹側部１１の両側縁部と背側部１２の両側縁部（サイド部）とを互いに重ね合わせて接合部を形成したサイドシール部１６とが形成されている。また、本発明のパンツタイプ吸収性物品１において、縦方向とは、サイドシール部１６が形成された本発明のパンツタイプ吸収性物品１を着用者が着用したときの鉛直方向であり、起立した着用者の胴体から脚に向かう方向である。また、本発明のパンツタイプ吸収性物品１において、幅方向とは、縦方向に直交し、かつ、左右一対のサイドシール部１６における一方のサイドシール部１６から他方のサイドシール部１６に向かう方向であり、起立した着用者の腰の両脇にわたる方向である。また、本発明のパンツタイプ吸収性物品１において、奥行方向とは、縦方向及び横方向に直交する方向であり、本発明のパンツタイプ吸収性物品１を着用者が着用したときに腹側部１１から背側部１２又は背側部１２から腹側部１１に向かう方向である。
【００１５】
［吸収性本体］
吸収性本体は、液透過性のトップシートと、液不透過性のバックシートと、トップシート及びバックシートの間に配置される吸収体とから構成される。
【００１６】
（トップシート）
トップシートは、体液が吸収体へと移動するような液透過性を備えた基材から形成すればよく、例えば、サーマルボンド不織布、スパンボンド不織布等の不織布、サーマルボンド／スパンボンドを積層した複合不織布、開口ポリエチレンフィルム等の開口性フィルム、ポリエチレンフォーム、ウレタンフォーム等の発泡フィルム、あるいは、これらを積層した複合シートといった材料から形成される。また、トップシートには、液透過性を向上させるために、表面にエンボス加工や穿孔加工を施してもよい。これらのエンボス加工や穿孔加工を施すための方法としては、公知の方法を制限なく実施することができる。また、肌への刺激を低減させるため、トップシートには、ローション、酸化防止剤、抗炎症成分、ｐＨ調整剤、抗菌剤、保湿剤等を含有させてもよい。さらに、強度及び加工性の点から、トップシートの坪量は、１８ｇ／ｍ２以上４０ｇ／ｍ２以下であることが好ましい。トップシートの形状としては特に制限はないが、漏れがないように体液を吸収体へと誘導するために必要とされる、吸収体を覆う形状であればよい。
【００１７】
（バックシート）
バックシートは、吸収体が保持している体液が衣類を濡らさないような液不透過性を備えた基材を用いて形成すればよく、樹脂フィルムや、樹脂フィルムと不織布とを積層した複合シートといった材料から形成される。複合シートに用いられる不織布としては、製法を特に限定せず、例えば、スパンボンド不織布やメルトブロー不織布、あるいは、スパンボンド／メルトブロー、スパンボンド／メルトブロー／スパンボンドを積層した複合不織布及びこれらの複合材料が挙げられる。また、樹脂フィルムとしては、例えば、ポリエステル、ポリビニルアルコール、ポリエチレン、ポリプロピレン、ポリエチレンとポリプロピレンの複合フィルム等が挙げられる。さらに、強度及び加工性の点から、バックシートの坪量は、１５ｇ／ｍ２以上４０ｇ／ｍ２以下であることが好ましい。また、装着時の蒸れを防止するため、バックシートは、通気性を持たせることが好ましい。バックシートに通気性を備えさせるためには、例えば、基材の樹脂フィルムにフィラーを配合したり、バックシートにエンボス加工を施したりすればよい。なお、フィラーとしては炭酸カルシウムを挙げることができ、その配合方法は、公知の方法を制限なく行うことができる。
【００１８】
（吸収体）
吸収体は、基材としての吸収性繊維と、高吸水性ポリマー（ＳＡＰ）と、を含有することが好ましい。吸収性繊維は、一般に生理用ナプキンやおむつ、尿取りパッド等の吸収性物品に使用されるものであれば特に制限はなく、例えば、フラッフパルプ、コットン、レーヨン、アセテート、ティシュ、吸収紙、親水性不織布等を挙げることができる。これらの中でも、吸収性の観点から、フラッフパルプを使用することが好ましい。フラッフパルプとしては、木材パルプ、合成繊維、ポリマー繊維、非木材パルプ等を綿状に解繊したものを挙げることができる。吸収体の吸収性繊維は、吸収性能及び肌触りを損なわないよう、５０ｇ／ｍ２以上８００ｇ／ｍ２以下の坪量とすることが好ましく、１００ｇ／ｍ２以上５００ｇ／ｍ２以下であることがより好ましい。
【００１９】
吸収体の高吸水性ポリマーとしては、体液を吸収し、かつ、逆流を防止できるものであれば特に制限はなく、ポリアクリル酸ナトリウム系、ポリアスパラギン酸塩系、（デンプン−アクリル酸）グラフト共重合体、（アクリル酸−ビニルアルコール）共重合体、（イソブチレン−無水マレイン酸）共重合体及びそのケン化物等の材料から形成されたものを使用することができる。これらの中でも、重量当たりの吸収量の観点から、ポリアクリル酸ナトリウム系が好ましい。吸収体のＳＡＰ量は、吸収性能及び肌触りを損なわないよう、１０ｇ／ｍ２以上５００ｇ／ｍ２以下の坪量とすることが好ましく、５０ｇ／ｍ２以上３００ｇ／ｍ２以下であることがより好ましく、１５質量％以上５０質量％以下の含有量とすることが好ましい。
【００２０】
吸収体において、吸収性繊維及びＳＡＰの形態は、吸収性繊維中にＳＡＰ粒子を混合して形成したもの、あるいは、親水性基材間にＳＡＰ粒子を固着したＳＡＰシートとしたものであることが好ましい。また、ＳＡＰ粒子の漏洩防止や吸収体の形状の安定化の目的から、吸収体をキャリアシートに包むことが好ましい。キャリアシートの基材としては親水性を有するものであればよく、ティシュ、吸収紙、エアレイド不織布等の親水性不織布を挙げることができる。キャリアシートを複数備える場合は、キャリアシートの基材は同一のものであっても異なるものであってもよい。
【００２１】
［外装体］
外装体１０は、パンツタイプ吸収性物品１の外形形状を構成し、ウエスト開口部１４、脚開口部１５、及びサイドシール部１６を形成する外装シート１０１から構成される。
【００２２】
（外装シート）
外装シート１０１は、股部１３を中心として略対称に腹側部１１と背側部１２が配置されている。そして、外装シート１０１は、腹側部１１と背側部１２が対称となるように股部１３で二つ折りにされ、上記腹側部１１の両側縁部（サイド部）と上記背側部１２の両側縁部（サイド部）とが互いに重なり合って接合部を形成したサイドシール部１６で接続されている。これにより、外装シート１０１は、伸縮性のウエスト開口部１４と、一対の脚開口部１５とを形成し、パンツタイプ吸収性物品１を全体として着脱可能なパンツ状に構成する。そして、パンツタイプ吸収性物品１を着用すると、腹側部１１が着用者の腹側で腹部、腰部及び股間部付近を、背側部１２が着用者の背側で背部、腰部及び股間部付近を、股部１３が着用者の股間部付近を覆うようになっている。
【００２３】
外装シート１０１は、サーマルボンド不織布、スパンボンド不織布等の不織布であって、ポリプロピレン、ポリエステル、ポリエチレン等の熱可塑性樹脂からなる不織布を用いることができる。これらの不織布を用いる場合、その坪量は、１３ｇ／ｍ２以上４０ｇ／ｍ２以下であることが好ましい。
【００２４】
（（サイドシール部））
本発明のパンツタイプ吸収性物品１は、腹側部１１の両側縁部と背側部１２の両側縁部とを互いに重ね合わせて接合部を形成したサイドシール部１６を有している。図１（ｂ）に示すように、左右一対のサイドシール部１６は、それぞれ、パンツタイプ吸収性物品１の幅方向の中心に対して近位端側の第１シールパターン１６１と、パンツタイプ吸収性物品１の幅方向の中心に対して遠位端側の第２シールパターン１６２と、第１シールパターン１６１及び第２シールパターン１６２の間に位置する第３シールパターン１６３と、を有している。第１シールパターン１６１、第２シールパターン１６２及び第３シールパターン１６３はそれぞれ、縦方向に延在するシールパターンである。
【００２５】
左右一対のサイドシール部１６における、第１シールパターン１６１、第２シールパターン１６２及び第３シールパターン１６３は、それぞれ、単位形状が略矩形であり、角丸の略矩形であることが好ましく、角丸四角形、長円等がより好ましく、角丸四角形であることが更に好ましい。これにより、サイドシール部１６を破断しやすくすることができ、また、パンツタイプ吸収性物品１の着用中における着用感を良好にすることができ、かつ、それぞれの第１シールパターン１６１、第２シールパターン１６２及び第３シールパターン１６３同士が連結することを防止しやすくすることができる。
【００２６】
（（（第１シールパターン・第２シールパターン）））
第１シールパターン１６１には、それぞれ、単位形状を略矩形とし、長辺をパンツタイプ吸収性物品１の縦方向に平行とし、縦方向の寸法が互いに異なる長辺シールパターン１６１ａと短辺シールパターン１６１ｂとが、パンツタイプ吸収性物品１における縦方向に沿って交互に所定の間隔で断続的に配置されている。
また、第２シールパターン１６２には、それぞれ、単位形状を略矩形とし、長辺をパンツタイプ吸収性物品１の縦方向に平行とし、パンツタイプ吸収性物品１における縦方向の寸法が互いに異なる長辺シールパターン１６２ａと短辺シールパターン１６２ｂとが、パンツタイプ吸収性物品１における縦方向に沿って交互に所定の間隔で断続的に配置されている。
これにより、サイドシール部１６のシールパターンの配置される方向を、サイドシール部１６を破断する方向である縦方向と同一とすることで、サイドシール部１６を破断しやすくすることができ、かつ、サイドシール部１６にかかる荷重の方向である幅方向と直交する方向とすることで、サイドシール部１６の使用強度を向上させることができる。また、パンツタイプ吸収性物品１の幅方向の中心に対して近位端側に第１シールパターン１６１を配置し、パンツタイプ吸収性物品１の幅方向の中心に対して遠位端側に第２シールパターン１６２を配置しているため、サイドシール部１６にかかる荷重の方向である幅方向における使用強度を向上させるほか、サイドシール部１６が保護者、着用者等との接触によって誤って破断することを防ぐことができる。
【００２７】
そして、第１シールパターン１６１における長辺シールパターン１６１ａ及び短辺シールパターン１６１ｂのそれぞれの間隙と、第２シールパターン１６２における長辺シールパターン１６２ａ及び短辺シールパターン１６２ｂのそれぞれの間隙とは、パンツタイプ吸収性物品１における幅方向において重ならないように配置されている。これにより、サイドシール部１６の使用強度をより向上させることができる。
【００２８】
第１シールパターン１６１における長辺シールパターン１６１ａと短辺シールパターン１６１ｂのそれぞれの縦方向の寸法の比である、長辺シールパターン１６１ａの１つ当たりの寸法／短辺シールパターン１６１ｂの１つ当たりの寸法は、１．２以上２．５以下であることが好ましく、１．２以上２．０以下であることがより好ましく、１．２以上１．５以下であることがさらに好ましい。
また、第２シールパターン１６２における長辺シールパターン１６２ａと短辺シールパターン１６２ｂのそれぞれの縦方向の寸法の比である、長辺シールパターン１６２ａの１つ当たりの寸法／短辺シールパターン１６２ｂの１つ当たりの寸法は、１．２以上２．５以下であることが好ましく、１．２以上２．０以下であることがより好ましく、１．２以上１．５以下であることがさらに好ましい。
これにより、第１シールパターン１６１と第２シールパターン１６２における、サイドシール部１６の破断しやすさと使用強度とをより良好に調整することができる。
【００２９】
第１シールパターン１６１における長辺シールパターン１６１ａと、第２シールパターン１６２における長辺シールパターン１６２ａとにおいて、それぞれのシールパターンの単位ごとの縦方向の寸法は、５ｍｍ以上２０ｍｍ以下であることが好ましく、５ｍｍ以上１０ｍｍ以下であることがより好ましい。
また、第１シールパターン１６１における短辺シールパターン１６１ｂと、第２シールパターン１６２における短辺シールパターン１６２ｂとにおいて、それぞれのシールパターンの単位ごとの縦方向の寸法は、２ｍｍ以上１７ｍｍ以下であることが好ましく、２ｍｍ以上７ｍｍ以下であることがより好ましい。
これにより、第１シールパターン１６１と第２シールパターン１６２における、サイドシール部１６の破断しやすさと使用強度とを更に良好に調整することができる。
なお、第１シールパターン１６１における長辺シールパターン１６１ａと、第２シールパターン１６２における長辺シールパターン１６２ａとにおいて、それぞれのシールパターンの単位ごとの縦方向の寸法は、同一であってもよく、異なっていてもよいが、同一であることが好ましい。また、第１シールパターン１６１における短辺シールパターン１６１ｂと、第２シールパターン１６２における短辺シールパターン１６２ｂとにおいて、それぞれのシールパターンの単位ごとの縦方向の寸法は、同一であってもよく、異なっていてもよいが、同一であることが好ましい。
【００３０】
また、第１シールパターン１６１における長辺シールパターン１６１ａ及び短辺シールパターン１６１ｂと、第２シールパターン１６２における長辺シールパターン１６２ａ及び短辺シールパターン１６２ｂとにおいて、それぞれのシールパターンの単位ごとの幅方向の寸法は、０．５ｍｍ以上３ｍｍ以下であることが好ましく、０．５ｍｍ以上１．５ｍｍ以下であることがより好ましい。これにより、第１シールパターン１６１と第２シールパターン１６２における、サイドシール部１６の破断しやすさと使用強度とを更に良好に調整することができる。なお、第１シールパターン１６１における長辺シールパターン１６１ａ及び短辺シールパターン１６１ｂにおけるシールパターンの単位ごとの幅方向の寸法と、第２シールパターン１６２における長辺シールパターン１６２ａ及び短辺シールパターン１６２ｂにおけるシールパターンの単位ごとの幅方向の寸法とは、同一であってもよく、異なっていてもよいが、同一であることが好ましい。
【００３１】
第１シールパターン１６１における長辺シールパターン１６１ａ及び短辺シールパターン１６１ｂのそれぞれの間隙と、第２シールパターン１６２における長辺シールパターン１６２ａ及び短辺シールパターン１６２ｂのそれぞれの間隙とは、０．１ｍｍ以上５ｍｍ以下であることが好ましく、０．５ｍｍ以上２ｍｍ以下であることがより好ましい。これにより、サイドシール部１６の使用強度を更に向上させることができ、かつ、シールパターン同士が連結することを防止しやすくすることができる。
【００３２】
（（（第３シールパターン）））
第３シールパターン１６３には、それぞれ、単位形状を略矩形とし、長辺をパンツタイプ吸収性物品１の幅方向に平行とするシールパターンが、パンツタイプ吸収性物品１における縦方向に沿って所定の間隔で配置され、かつ、第１シールパターン１６１及び第２シールパターン１６２とそれぞれ離間している。これにより、サイドシール部１６の破断しやすさを調整することができる。さらに、第１シールパターン１６１、第２シールパターン１６２及び第３シールパターン１６３同士が連結していないため、着用中の装着感を良好にすることができる。
【００３３】
また、第３シールパターン１６３は、パンツタイプ吸収性物品１における縦方向に等間隔に配置されていることが好ましい。これにより、サイドシール部１６の破断しやすさを調整しやすくすることができる。さらに、第３シールパターン１６３は、それぞれ、第１シールパターン１６１のそれぞれの縦方向の中点に位置し、かつ、第２シールパターン１６２のそれぞれの縦方向の中点に位置することがより好ましい。これにより、第１シールパターン１６１と第２シールパターン１６２のそれぞれのシールパターンの縦方向の中点に第３シールパターン１６３が位置するため、第１シールパターン１６１及び第２シールパターン１６２における使用強度をより向上させることができる。
【００３４】
また、第３シールパターン１６３の単位ごとの幅方向の寸法は、第１シールパターン１６１における短辺シールパターン１６１ｂ及び第２シールパターン１６２における短辺シールパターン１６２ｂのそれぞれのシールパターンの単位ごとの縦方向の寸法に対して、０．５倍以上２．０倍以下であることが好ましく、０．５倍以上１．０倍以下であることがより好ましい。これにより、サイドシール部１６の使用強度を更に向上させることができる。
【００３５】
第３シールパターン１６３の単位ごとの幅方向の寸法は、０．５ｍｍ以上７ｍｍ以下であることが好ましく、２ｍｍ以上５ｍｍ以下であることがより好ましい。また、第３シールパターン１６３の単位ごとの縦方向の寸法は、０．５ｍｍ以上３．０ｍｍ以下であることが好ましく、０．５ｍｍ以上１．５ｍｍ以下であることがより好ましい。これにより、サイドシール部１６の破断しやすさをより調整しやすくすることができる。
【００３６】
（（（シール方法）））
サイドシール部におけるシールパターンのシール方法は、ウルトラソニック方式又はヒートシール方式のどちらでも良い。より好ましいのは、シール部分の柔らかさの観点から、ウルトラソニック方式である。
【実施例】
【００３７】
以下の実施例により本発明をさらに具体的に説明する。なお、本発明はその要旨を超えない限り、以下の実施例の記載に限定されるものではない。
【００３８】
＜実施例１＞
図２（ａ）は、実施例１に係るパンツタイプ吸収性物品におけるサイドシール部のシールパターンを取り出した拡大正面図である。第１シールパターン、第２シールパターン及び第３シールパターンにおける、それぞれのシールパターンの単位形状は、略矩形の角丸長方形である。
第１シールパターンと第２シールパターンには、長辺をパンツタイプ吸収性物品の縦方向に平行とし、縦方向の寸法が互いに異なる長辺シールパターンと短辺シールパターンとが、パンツタイプ吸収性物品における縦方向に沿って交互に所定の間隔で断続的に配置されている。第１シールパターンにおける長辺シールパターンと、第２シールパターンにおける長辺シールパターンとにおいて、それぞれのシールパターンの単位ごとの縦方向の寸法は、６ｍｍである。また、第１シールパターンにおける短辺シールパターンと、第２シールパターンにおける短辺シールパターンとにおいて、それぞれのシールパターンの単位ごとの縦方向の寸法は、４ｍｍである。また、第１シールパターンにおける長辺シールパターン及び短辺シールパターンと、第２シールパターンにおける長辺シールパターン及び短辺シールパターンとにおいて、それぞれのシールパターンの単位ごとの幅方向の寸法は、１ｍｍである。そして、第１シールパターンにおける長辺シールパターン及び短辺シールパターンのそれぞれの間隙と、第２シールパターンにおける長辺シールパターン及び短辺シールパターンのそれぞれの間隙とは、０．５ｍｍであり、パンツタイプ吸収性物品における幅方向において重ならないように配置されている。
第３シールパターンには、長辺をパンツタイプ吸収性物品の幅方向に平行とするシールパターンが、パンツタイプ吸収性物品における縦方向に沿って所定の間隔で配置され、かつ、第１シールパターン及び第２シールパターンとそれぞれ離間している。第３シールパターンの単位ごとの幅方向の寸法は、３ｍｍであり、第３シールパターンの単位ごとの縦方向の寸法は、１ｍｍである。なお、実施例１に係るパンツタイプ吸収性物品においては、第３シールパターンは、パンツタイプ吸収性物品における縦方向に等間隔に配置され、第１シールパターンのそれぞれの縦方向の中点に位置し、かつ、第２シールパターンのそれぞれの縦方向の中点に位置するように配置されており、第３シールパターンの単位ごとの縦方向の間隙は、４．５ｍｍである。
【００３９】
［官能評価］
実施例１に係るパンツタイプ吸収性物品を幼児に装着させ、４時間後に、女性がパンツタイプ吸収性物品を奥行方向に引っ張り、サイドシール部を破断する場合において、サイドシール部の使用強度と破断しやすさについて評価をしてもらった。使用強度については、破断前に第３シールパターンに破断が認められた場合には「×」、破断前に第１シールパターンに破断が認められたが第３シールパターンには破断が認められなかった場合又は破断時において急激に破断しやすい箇所が認められた場合には「△」、破断前にサイドシール部に破断がなく、破断時において急激に破断しやすい箇所が認められない場合には「〇」と、評価してもらった。また、破断しやすさについては、通常の力で破断した際に破断しにくい箇所があり把持する箇所や通常よりも引っ張る力を強くして破断した場合には「×」、通常の力で破断した際に破断しにくい箇所があったものの通常より少し引っ張る力を変えただけで破断した場合には「△」、通常の力で破断した際に破断しにくい箇所がない場合には「〇」と、評価してもらった。
【００４０】
実施例１に係るパンツタイプ吸収性物品においては、サイドシール部の使用強度と破断しやすさの官能評価が両方とも「〇」であった。
【００４１】
＜比較例１・比較例２＞
図２（ｂ）及び図２（ｃ）は、それぞれ、比較例１及び比較例２に係るパンツタイプ吸収性物品におけるサイドシール部のシールパターンを取り出した拡大正面図である。第１シールパターン、第２シールパターン及び第３シールパターンにおける、それぞれのシールパターンの単位形状は、略矩形の角丸長方形である。
比較例１においては、第１シールパターンにおける長辺シールパターン及び短辺シールパターンの間隙と、第２シールパターンにおける長辺シールパターン及び短辺シールパターンの間隙とが重なるように配置されている点以外は、実施例１に係るパンツタイプ吸収性物品におけるサイドシール部のシールパターンと同一である。
比較例２においては、第３シールパターンが、第１シールパターン及び第２シールパターンとそれぞれ連結している点以外は、実施例１に係るパンツタイプ吸収性物品におけるサイドシール部のシールパターンと同一である。
【００４２】
比較例１に係るパンツタイプ吸収性物品においては、サイドシール部の使用強度と破断しやすさの官能評価は、使用強度が「△」で、破断しやすさが「△」であった。また、比較例２に係るパンツタイプ吸収性物品においては、サイドシール部の使用強度と破断しやすさの官能評価は、使用強度が「〇」で、破断しやすさが「×」であった。
【００４３】
実施例１に係るパンツタイプ吸収性物品によれば、サイドシール部の破断のしやすさと、使用強度とを、両立させたパンツタイプ吸収性物品とすることができた。一方で、比較例１に係るパンツタイプ吸収性物品では、第１シールパターンにおける長辺シールパターン及び短辺シールパターンの間隙と、第２シールパターンにおける長辺シールパターン及び短辺シールパターンの間隙とが幅方向において重なるように配置されているため、使用強度に問題を生じた。さらに、縦方向において、上記間隙ごとに、第１シールパターンと第２シールパターンを同時に破断する必要があったことから、サイドシール部の破断しやすさに問題を生じた。また、比較例２に係るパンツタイプ吸収性物品では、第３シールパターンが、第１シールパターン及び第２シールパターンとそれぞれ連結しているため、サイドシール部の破断しやすさに問題を生じた。
【００４４】
以上、実施形態を用いて本発明を説明したが、本発明の技術的範囲は上記実施形態に記載の範囲には限定されないことは言うまでもない。上記実施形態に、多様な変更又は改良を加えることが可能であることが、当業者には明らかである。また、その様な変更又は改良を加えた形態も本発明の技術的範囲に含まれ得ることが、特許請求の範囲の記載から明らかである。
【符号の説明】
【００４５】
１        パンツタイプ吸収性物品
１０      外装体
１０１    外装シート
１１      腹側部
１２      背側部
１３      股部
１４      ウエスト開口部
１５      脚開口部
１６      サイドシール部
１６１    第１シールパターン
１６１ａ  第１シールパターンにおける長辺シールパターン
１６１ｂ  第１シールパターンにおける短辺シールパターン
１６２    第２シールパターン
１６２ａ  第２シールパターンにおける長辺シールパターン
１６２ｂ  第２シールパターンにおける短辺シールパターン
１６３    第３シールパターン
【図１】
2018183486.tif 000003
【図２】
2018183486.tif 000004